Podtech/llm-jp-corpus-v4-ja_patent huggingface dataset:
(57)【要約】      （修正有）【課題】収納及び使用上の利便性が高く、より快適に使用できる多機能枕を提供する。【解決手段】多機能枕はヘッド枕部１及びヘッド枕部の一端に成形される抱き枕部２からなり、７字状であり、抱き枕部のヘッド枕部に近接する位置には使用者の腕が通る窪み部３が設置される。多機能枕はヘッド枕及び抱き枕の機能を同時に有し、収納及び使用上の利便性が高い。窪み部の設置により、腕に圧力をかけることがなく、より快適に使用できる。【選択図】図１
0003213452.tif 000002
【実用新案登録請求の範囲】
【請求項１】
多機能枕であって、ヘッド枕部及び前記ヘッド枕部の一端に成形される抱き枕部からなり、前記多機能枕は７字状であり、前記抱き枕部の前記ヘッド枕部に近接する位置には使用者の腕が通る窪み部が設置されることを特徴とする、
多機能枕。
【請求項２】
前記抱き枕部は開口部の向きが反対である２つの窪み部を含むことを特徴とする、
請求項１に記載の多機能枕。
【請求項３】
前記２つの窪み部の位置は、使用状態では、抱き枕部の前記２つの窪み部の水平面での投影が重なるという条件を満たすことを特徴とする、
請求項２に記載の多機能枕。
【請求項４】
前記２つの窪み部の位置は、使用状態では、抱き枕部の前記２つの窪み部の水平面での投影が部分的に重なり又は重ならないという条件を満たすことを特徴とする、
請求項２に記載の多機能枕。
【請求項５】
前記窪み部はＣ字状溝であることを特徴とする、
請求項１〜４のいずれか１項に記載の多機能枕。
【考案の詳細な説明】
【技術分野】
【０００１】
本実用新案は人間の生活用品、より具体的には、多機能枕に関する。
【背景技術】
【０００２】
生活レベルの向上に伴って、人々は養生をますます重視している。十分な睡眠は、人々が翌日に良好な精神状態を維持することを確保できる。枕は寝具であり、通常の枕は頭部を支持する作用のみを有する。
【考案の概要】
【考案が解決しようとする課題】
【０００３】
本実用新案は多機能枕を提供することを目的とする。
【課題を解決するための手段】
【０００４】
上記目的を達成するために、本実用新案は以下の技術的解決手段を用いる。
【０００５】
多機能枕であって、前記多機能枕はヘッド枕部及び前記ヘッド枕部の一端に成形される抱き枕部からなり、前記多機能枕は７字状であり、前記抱き枕部の前記ヘッド枕部に近接する位置には使用者の腕が通る窪み部が設置される。使用する場合、多機能枕の前記窪み部の開口部がベッドの表面に向き、使用者は、頭が多機能枕の前記ヘッド枕部に支持され、一方の腕が前記窪み部を通って、他方の腕が抱き枕部の上側に乗り、両腕が抱き枕部を抱きしめる。
【０００６】
好ましくは、前記抱き枕部は開口部の向きが反対である２つの窪み部を含む。
【０００７】
好ましくは、前記２つの窪み部の位置は、使用状態では、抱き枕部の前記２つの窪み部の水平面での投影が重なるという条件を満たす。
【０００８】
好ましくは、前記２つの窪み部の位置は、使用状態では、抱き枕部の前記２つの窪み部の水平面での投影が部分的に重なるという条件を満たす。
【０００９】
好ましくは、前記窪み部はＣ字状溝である。
【考案の効果】
【００１０】
従来技術に比べて、本実用新案は、本多機能枕がヘッド枕及び抱き枕の機能を同時に有し、１つの枕が多機能を有し、収納及び使用上の利便性が高いという有益な効果を少なくとも有する。抱き枕部には窪み部が設置され、使用する場合、腕に圧力をかけることがなく、より快適に使用できる。２つの窪み部を設置することにより、使用者が異なる方向を向いて横たわる場合でも腕に圧力をかけることがない。
【図面の簡単な説明】
【００１１】
【図１】第１実施例の構成概略図である。
【図２】第２実施例の構成概略図である。
【考案を実施するための形態】
【００１２】
以下では図面及び実施例を参照しながら、本実用新案を更に説明する。
【００１３】
図１に示すように、第１実施例の多機能枕はヘッド枕部１及び前記ヘッド枕部１の一端に成形される抱き枕部２からなり、前記多機能枕は７字状であり、前記抱き枕部２の前記ヘッド枕部１に近接する位置には使用者の腕が通る窪み部３が設置される。
【００１４】
使用する場合、多機能枕の前記窪み部３の開口部がベッドの表面に向き、使用者は頭が多機能枕の前記ヘッド枕部１に支持され、一方の腕が前記窪み部３を通って、他方の腕が抱き枕部２の上側に乗り、両腕が抱き枕部３を抱きしめる。使用者の腕が窪み部３に位置し、使用者の腕に圧力をかけることがなく、従ってより快適に使用できる。同時に、本多機能枕はヘッド枕及び抱き枕の機能を同時に有し、１つの枕が多機能を有し、多くの単一機能枕に対して、収納及び使用上の利便性が高いという利点を有する。
【００１５】
上記窪み部３はＣ字状溝として設計されるため、腕とより確実にマッチングすることができる。
【００１６】
図２に示すように、第２実施例の多機能枕はヘッド枕部１及び前記ヘッド枕部１の一端に成形される抱き枕部２からなり、前記多機能枕は７字状であり、前記抱き枕部２の前記ヘッド枕部１に近接する位置には使用者の腕が通る２つの窪み部３、３’が設置され、前記２つの窪み部３、３’の開口部の向きが反対である。
【００１７】
使用者が左側を向いて横たわる場合、多機能枕の前記２つの窪み部３、３’の一方の窪み部３の開口部をベッドの表面に向けて、使用者は頭が多機能枕の前記ヘッド枕部１に支持され、一方の腕が前記窪み部３を通って、他方の腕が抱き枕部２の上側に乗り、両腕が抱き枕部３を抱きしめる。使用者が右側を向いて横たわる場合、多機能枕を反転させ、多機能枕の前記２つの窪み部３、３’の他方の窪み部３’の開口部をベッドの表面に向け、使用者は頭が多機能枕の前記ヘッド枕部１に支持され、一方の腕が前記他方の窪み部３’を通って、他方の腕が抱き枕部２の上側に乗り、両腕が抱き枕部３を抱きしめる。この設計により、使用者は異なる方向を向いて横たわる場合にも、腕に圧力をかけることがなく、より使用しやすい。
【００１８】
上記２つの窪み部３、３’の位置は、使用状態では、抱き枕部２の前記２つの窪み部３、３’の水平面での投影が重なるという条件を満たす。
【００１９】
前記２つの窪み部３、３’はいずれもＣ字状溝である。
【００２０】
上記は好ましい実施例であり、別の実施例では、前記２つの窪み部の位置は、使用状態では、抱き枕部の前記２つの窪み部の水平面での投影が部分的に重なるという条件を満たす。さらに別の実施例では、前記２つの窪み部の位置は、使用状態では、抱き枕部の前記２つの窪み部の水平面での投影が重ならないという条件を満たす。
【００２１】
上記は具体的な実施例によって本実用新案を詳細に説明したが、これらの詳細な説明は当業者に本実用新案の内容を理解させるためのものに過ぎず、本実用新案の保護の範囲を限定するものとして理解されるべきではない。当業者が本実用新案の発想で上記解決策に対して行った様々な修正、等価置換等がいずれも本実用新案の保護範囲内に含まれるべきである。
【図１】
0003213452.tif 000003
【図２】
0003213452.tif 000004
(57)【要約】      （修正有）【課題】杖を必要とする身障者や高齢者が、降雨時に傘をさす場合に、傘を支える手が必要でない傘を提供する。【解決手段】コーモリ傘のシャフト２に１本のゴムベルト５の両端を摺動可能な状態で取付け、シャフトとベルトで構成される輪の中に頭と片方の腕と肩を通しベルトを背側にシャフトを胸側に密着させる。その上で、シャフトが左右に動かないようにコーモリ傘の柄３に紐４で取付けたクリップ８でズボンの上縁などに固定する。傘の柄を持たず傘をさすことが可能になる。【選択図】図１
0003213406.tif 000002
【実用新案登録請求の範囲】
【請求項１】
片方の端に摺動可能で脱着できる摺動固定部１を有し、他方の端に摺動固定部１と同様な摺動固定部２を有する１本のゴムベルトをコーモリ傘のシャフトに摺動固定部１及び摺動固定部２を離して取付け、且つコーモリ傘の柄に紐で取付られたクリップがズボンの上縁やズボン吊りなどに脱着可能なコーモリ傘。
【考案の詳細な説明】
【技術分野】
【０００１】コーモリ傘
【背景技術】
【０００２】  脳梗塞などの後遺症や高齢のため、歩行時に杖を必要とする人にとって、降雨時に傘をさす場合、杖を持たない手で支えなければならない。その結果両手が塞がり転倒の危険が増大する。この問題を既存物の組み合わせで解決をはかる。
【非特許文献】
【０００３】なし
【考案の概要】
【考案が解決しようとする課題】
【０００４】  杖を必要とする歩行困難者にとっては常に転倒の危険に晒され、片手で杖を持ち、さらにもう一方の手で傘を持つとなれば、転倒の不安は倍増する。この不安を解消するには傘をさす手を不要にする。
【課題を解決するための手段】
【０００５】図１及び図５に示す通り、コーモリ傘のシャフトに１本のゴムベルトの両端を摺動可能な状態で取付け、シャフトとベルトで構成される輪の中に頭と片方の腕と肩を通しベルトを背側にシャフトを胸側に密着させる。その上で、シャフトが左右に動かないようにコーモリ傘の柄に紐で取付けたクリップでズボンの上縁などに固定すれば、傘の柄を持たず傘をさすことが可能になる。
【考案の効果】
【０００６】杖をつく歩行者にとってコーモリ傘を持つ手が不要になることで、転倒に備える気持ちの余裕ができ、安心感につながる。
【図面の簡単な説明】
【０００７】
【図１】既存の部品による構成図
【図２】（１）ゴムベルトの両端にそれぞれ一組のスナップボタンで構成される摺動固定部１、摺動固定部２を取付けた状態を示す  （２）摺動固定部１並びに摺動固定部２がシャフトを取付けるためにスナップボタンを閉じた状態を示す。
【図３】（１）柄に取付けられ紐の先端に取付けられたクリップの閉じた状態を示す。（２）クリップの開いた状態を示す。
【図４】コーモリ傘のシャフトとベルトで構成される輪の中に頭と片手と肩を通しシャフトを胸に密着させ、コーモリ傘を手で支える必要のない状態を示す。
【図５】前図によるコーモリ傘のシャフトが左右にずれないようコーモリ傘の柄に取付けたクリップをズボンの上縁に固定した状態を示す。
【図６】コーモリ傘を畳んだ状態を示す。
【考案を実施するための形態】
【０００８】図２に示す通り、一本のゴムベルトをコーモリ傘のシャフトの２箇所に摺動可能に固定し、シャフトとゴムベルで構成される輪の中に図６で示す通り頭と片手を通し、胸側にシャフトを密着させ且つ柄に取付けたクリップでズボンの上縁に固定することにより、手で支える必要のないコーモリ傘の状態を実現できる。
【０００９】図２及び図６に示す通り
【産業上の利用可能性】
【０００１０】既存のコーモリ傘、ゴムベルトとスナップボタン、クリップなどの組み合わせで実現できる。
【符号の説明】
【０００１１】１  傘
２  シャフト
３  柄
４  紐
５  摺動固定部１
６  摺動固定部２
７  ゴムベルト
８  クリップ
【図１】
0003213406.tif 000003
【図２】
0003213406.tif 000004
【図３】
0003213406.tif 000005
【図４】
0003213406.tif 000006
【図５】
0003213406.tif 000007
【図６】
0003213406.tif 000008
(57)【要約】      （修正有）【課題】お風呂上りに人体に付着した水滴をエアーの力で除去すると同時に浴室内に溜まった水滴を排出することができる浴室用水滴除去装置を提供する。【解決手段】送風機２より送られた空気を浴室内の取付けたエアーノズル１より手動にて噴射し人体に付着した水滴を除去するのと同時に室内に溜まった水滴も排水溝へと強制的に排出し常に清潔さを保つ事を目的とする。本考案の浴室用水滴除去装置のエアーノズル１は可変式で目的に応じてエアーの勢い範囲を散水栓のように変更出来家庭内でも安全に使える。この浴室用水滴除去装置を使うことにより人体の付着した水滴除去と乾燥手段は、入浴後のふき取り作業を簡潔化し浴室内の乾燥を促しカビの発生を抑える効果があり、時間的にも衛生的にも非常に良い。【選択図】図１
0003213402.tif 000002
【実用新案登録請求の範囲】
【請求項１】
浴室外に設置して使用される送風機と
前記送風機により送られた空気を浴室内に導くエアーホースと
前記エアーホースの先端部に取付けられ
前記エアーホースに送られた空気を噴出することによって入浴後の使用者又は浴室から水滴を除去する手に持って操作可能なエアーノズルを
備える浴室用水滴除去装置。
【請求項２】
前記送風機は空気を圧縮するエアーコンプレッサーと
前記エアーコンプレッサーにより圧縮された空気をためるエアータンクを有し  前記エアーホースには  前記エアータンクにためられた圧縮空気が送られる請求項１に記載の浴室水滴除去装置。
【請求項３】
前記エアーノズルは使用者の手動操作により噴出する空気の流量が可変可能である請求項１または請求項２に記載の浴室用水滴除去装置。
【請求項４】
前記エアーノズルは使用者の手動操作によりエアーノズルの噴出口の開口の大きさが可変である請求項１から３のいずれかに記載の浴室水滴除去装置。
【考案の詳細な説明】
【技術分野】
【０００１】  本考案は、お風呂上りに人体に付着した水滴をエアーの力で除去すると同時に浴室内に溜まった水滴を排出する装置に関する。
【背景技術】
【０００２】  現在、エアーノズルの利用法として産業用が多く主に金属を加工した際に出る粉塵を除去したりする装置が多数考案されている。
【考案の概要】
【考案が解決しようとする課題】
【０００３】  送風機より送られた空気を浴室内の取付けた
エアーノズルより手動にて噴射し人体に付着した水滴を除去するのと同時に浴室内に溜まった水滴も排水溝へと強制的に排出し常に清潔さを保つ事を目的とする。
従来にエアーノズルでは勢いが強く人体に損傷を与える可能性があると同時に浴室内の他の装置まで破損する可能性がある。
【課題を解決するための手段】
【０００４】  前記目的を達成する為、本考案による浴室用水滴除去装置のエアーノズルは可変式で目的に応じてエアーの勢い範囲を散水栓のように変更出来家庭内でも安全に使える。【０００５】  手元のエアーガンで勢いの強弱とノズルの先端を回転させる事のよりエアーの噴出角を調整する。【０００６】  エアーノズルをシャワーヘッドの様に取付けることにより自由度をたかめ人体の水滴を確実に取り去ると共に浴室内のそのほとんどの壁面床面まで届きより多くに水滴除去を可能にする。【０００７】  本考案は家庭用を想定しており送風機の稼動音の問題は、送風機自体を建物外に設置する事で解決する。
【考案の効果】
【０００８】  本考案による人体の付着した水滴除去と乾燥手段は、入浴後のふき取り作業を簡潔化し浴室内の乾燥を促しカビの発生を抑える効果があり、時間的にも衛生的のも非常に良い。
【図面の簡単な説明】
【図１】本考案の設置例を示す即断面図
【図２】本考案のエアーノズル
【考案を実施する為の形態】
【０００９】  送風機より送られた空気を浴室内に取付けたエアーノズルより手動にて噴射し人体に付着した水滴を除去するのと同時に浴室内に溜まった水滴も排水溝へと強制的に排出する。
エアーノズルの先端を可変式としエアーの広がる範囲を変化させエアー圧力も可変式とする。
【実施例】
【００１０】  以下、添付図面に従って実施例を説明する。図１▲１▼は可変式のエアーノズルで自在に移動させることが出来る、図１▲２▼は送風機で図１▲３▼のエアーホースを通じて浴室内にエアーを送り込む、図１▲４▼は電源で使用に伴い自在にＯＮ・ＯＦＦが選択出来る。【００１１】  図２は図１の▲１▼のエアーノズルで図２▲２▼のスロットルでエアーの吐出圧力を調整出来る、図２▲１▼はエアーノズルの絞りになり吐出するエアーの広がりを調整することが出来る。【００１２】  本考案の実施例は上記説明から構成されるものであるから、お風呂上りに人体に付着した水滴を瞬時に効率よく除去すると同時に浴室内に溜まった水滴を排水溝に強制的に流し常に衛生的な状態を保つと同時に入浴後の拭取り作業の効率化が望めることから今後  社会的には介護の現場での使用や公衆浴場の清掃作業等にと使用することで介護職員や清掃作業員の方の仕事の効率化が望め社会的にも貢献できる。
【符号の説明】
【００１３】〔図１〕
▲１▼エアーノズル
▲２▼送風機
▲３▼エアーホース
▲４▼電源スイッチ
▲５▼電源コード
〔図２〕
▲１▼エアーノズル絞り
▲２▼スロットル
▲３▼ジョイント
【図１】
0003213402.tif 000003
【図２】
0003213402.tif 000004
(57)【要約】      （修正有）【課題】建築物用窓において、雨天時、雨の侵入をブロックしながら室内外間の換気ができるレインバイザーを提供する。【解決手段】網戸の一部分に、網戸から一定の距離を離して、網戸を覆うように、側部解放のレインバイザーを取り付け、バイザーにより雨の侵入をブロックしながら、部分解放された窓ガラスで換気できる様にした。【選択図】図２
0003213404.tif 000002
【実用新案登録請求の範囲】
【請求項１】
「大きさ」について、網戸全面では無く、網戸の一部を覆うことを特徴とするレインバイザー。
【請求項２】
「形状」について、レインバイザー本体に羽等の換気口は無く、雨の侵入をブロックする事を特徴とする請求項１のレインバイザー。
【請求項３】
「取付」について、レインバイザー本体は網戸から一定の距離を離して取り付ける事を特徴とする請求項１のレインバイザー。
【請求項４】
「色・材質」について、無色透明のガラス又は樹脂系で有る事を特徴とする請求項１のレインバイザー。
【考案の詳細な説明】
【考案の概要】
【考案が解決しようとする課題】
【０００１】建築物用窓において、雨天時、雨が室内に侵入する為、ガラス窓を開放しての換気ができない問題点が有った。
【課題を解決する為の手段】
【０００２】網戸の一部に雨除けのレインバイザーを取り付ける。
【考案の効果】
【０００３】雨天時、ガラス窓を部分開放した状態で雨の侵入をブロックしながら室内外間の換気ができる。
【図面の簡単な説明】
【図１】平面図、立面図
【図２】モデル図
【図１】
0003213404.tif 000003
【図２】
0003213404.tif 000004
(57)【要約】      （修正有）【課題】頭部に温水等をつけ置きすることにより、頭皮の毛穴を広げ毛根の脂を取り除くことができる頭皮ケア用品を提供する。【解決手段】上下に開口部を設けた筒状体の本体１で、上部開口部２及び下部開口部は楕円形をなし、側面は前後左右どちらの方向から見ても、下方に向かって広がる末広がりの形状とし、下部開口部の裏側面は、弾力性のある滑り止め部材４が施してあり、下部開口部の裏側面を頭部６に押し当てることにより、上部開口部２から入れた温水等５が漏れずに頭皮につけ置きすることが出来る。【選択図】図２
0003213533.tif 000002
【実用新案登録請求の範囲】
【請求項１】
上下に開口部を設けた筒状体の本体（１）で、上部開口部（２）及び下部開口部（３）は楕円形をなし、側面は前後左右どちらの方向から見ても下方に向かって広がる末広がりの形状とし下部開口部（３）の裏側面は弾力性のある滑り止め部材（４）が施してある頭皮ケア用品。
【考案の詳細な説明】
【技術分野】
【０００１】本考案は、上下に開口部を設けた筒状体である本体の下部開口部を頭部に押し当て、本体の上部開口部から温水等を入れ、温水を頭皮につけ置きすることで頭皮が温まり毛穴を広げ毛根の皮脂を取り除きやすくする事が出来る頭皮ケア用品に関するものである。
【背景技術】
【０００２】洗髪を行う場合、頭部に温水を適量かけて濡らしシャンプーで洗い、その後温水をかけてシャンプーを洗い流していた。【０００３】ウエットスーツの素材等で出来た頭皮を温める筒状のキャップがある（特許文献１参照）。
【先行技術文献】
【特許文献】
【０００４】
【特許文献１】特開２００５−３４１６９号  公報
【考案の概要】
【考案が解決しようとする課題】
【０００５】首から下は湯舟につかり毛穴を開く事は出来るが、頭部は湯舟につかることが出来ず毛穴は開きづらかった【０００６】そして毛穴が開かない状態で頭部を洗っているため、毛穴に溜まった皮脂を落としきれず頭の匂いの原因になっていた。【０００７】上記特許文献１では、基本的にキャップ本体の大きさが変わらないので、例えば頭の小さな人がキャップを被り保持体で固定してもキャップが大きいため隙間が出来てしまい温水を保持する事は出来ず、上部から入れた温水はすぐに漏れてしまい温水を頭皮につけ置きすることはできず、そのため頭皮を温め毛穴を広げ毛根の油を取り除いたりなど、当初の目的を達することは出来ない。【０００８】また、逆にこのキャップより頭の大きな人は、そもそも被ることすら出来ないので、これも温水等を頭皮につけ置きすることはできず頭皮を温めるなど、当初の目的を達することは出来ない。【０００９】さらに、保持体がひも状のもので、キャップ本体を縛り頭に固定する方法も紹介されているが、ウエットスーツ素材で出来た本体では、これを縛ると余剰部分は蛇腹状になって隙間を作る原因になってしまうため、温水がこの隙間より漏れ出てしまい、これも当初の目的を達することは出来ない。本考案は、以上の問題点を解決するためになされたものである。
【課題を解決するための手段】
【００１０】上下に開口部を設けた筒状体の本体（１）で、上部開口部（２）及び下部開口部（３）は楕円形をなし側面は前後左右どちらの方向から見ても、下方に向かって広がる末広がりの形状とし、下部開口部（３）の裏側面は弾力性のある滑り止め部材（４）が施してあり、下部開口部（３）の裏側面を頭部（６）に押し当てることで、上部開口部（２）から入れた温水等（５）が漏れずに頭皮につけ置きすることが出来る構成にした。
以上の構成からなる頭皮ケア用品である。
【考案の効果】
【００１１】以上この考案は温水を頭皮につけ置きすることで育毛促進や頭皮の匂い予防をすることが出来、また温水の代わりに炭酸水を入れることで手軽にヘッドスパが出来る。【００１２】さらに、本体を頭部に固定させるため本体に保持体を設けて、あごの下でマジックテープで止めることで、手をフリーにすることも出来る（図示せず）。
【図面の簡単な説明】
【００１３】
【図１】本考案の頭皮ケア用品の斜視図
【図２】本考案の第１実施形態の断面図
【図３】本考案の第１実施形態の斜視図
【考案を実施するための形態】
【００１４】以下本考案の実施形態について説明する。
上下に開口部を設けた筒状体の本体（１）で、上部開口部（２）及び下部開口部（３）は楕円形をなし、側面は前後左右どちらの方向から見ても下方に向かって広がる末広がりの形状とし、下部開口部（３）の裏側面は、弾力性のある滑り止め部材（４）を施した構成とした。
本考案は、以上の構成でこれを使用するときは以下のような形態で使用する。
【実施例】
【００１５】以下添付図面に従って一実施例を説明する。図３のように楕円の本体（１）の長手方向を頭部（６）の前後方向に向け、下部開口部（３）の裏側面を上部開口部（２）より入れた温水等（５）が漏れないように頭部（６）に本体（１）を上から押し当てる。【００１６】図２のように下部開口部（３）の裏側面に施した弾力性のある滑り止め部材（４）を頭部に押し当てた時に、弾力性のある滑り止め部材（４）が頭や髪の毛に密着することで本体（１）と頭部（６）の隙間から温水等（５）がもれづらくなる。【００１７】また、本体（１）が末広がりの形状になっていることで、頭の大きな人から小さな人まで対応が可能である。【００１８】上部開口部（２）より温水等（５）をいれるが、この時温水等（５）が漏れ出るようなら、本体（１）を頭部（６）に押し当てる力を増す。【００１９】上部開口部（２）より、温水等（５）をいれた後、本体（１）を頭部（６）に押し当て続けることにより、温水等（５）を頭皮につけ置きすることが出来るため、毛穴を広げ毛根の皮脂を取り除きやすくする事が出来る。【００２０】頭皮が温まり毛穴が開いたところで本体（１）をはずし、その後シャンプーなどを使用し頭部（６）を洗いすすぐ。
【符号の説明】
【００２１】１  筒状体の本体
２  上部開口部
３  下部開口部
４  弾力性のある滑り止め部材
５  温水等
６  頭部
【図１】
0003213533.tif 000003
【図２】
0003213533.tif 000004
【図３】
0003213533.tif 000005
(57)【要約】      （修正有）【課題】服用している薬が簡単に分かるワーファリン服用認知ブレスレットを提供する。【解決手段】ブレスレットの一部に赤い色を着色し、緊急時に服用している薬を色で緊急隊員に知らせる。【選択図】図１
0003213532.tif 000002
【実用新案登録請求の範囲】
【請求項１】
ブレスレットの一部に赤い色を着色し、緊急時に服用している薬を色で救急隊員に知らせることを目的としたワーファリン服用認知ブレスレット
【考案の詳細な説明】
【技術分野】
【０００１】本考案はブレスレットの一部に任意の色を着色し、服用している薬が簡単に分かるブレスレットに関するものである。
【背景技術】
【０００２】文字で表示の装身具はあった。
【考案の開示】
【０００３】そのために以下の問題点があった。
１分１秒を争う緊急時に文字は色で識別するより時間を要する。
【考案の概要】
【課題を解決するための手段】
【０００４】ブレスレットの一部に赤い色を着色する。
【考案の効果】
【０００５】ブレスレットの一部に赤色で着色しているのでワーファリンを服用しているのが瞬時に分かる。
【図面の簡単な説明】
【０００６】
【図１】本考案の平面図
【図２】本考案の側面図
【考案を実施するための最良の形態】
【０００７】以下、考案の実施の形態について説明する。
（イ）ブレスレットの一部を赤い色で着色する。
（ロ）貴金属加工である場合は金属アレルギーにならない金属を使用する。
【図１】
0003213532.tif 000003
【図２】
0003213532.tif 000004
(57)【要約】      （修正有）【課題】ペチコートにポケットをつけた衣類となるポケット付ペチコートを提供する。【解決手段】ペチコート１のウエスト部３の数センチ下において、左右それぞれに手が自由に出入りできる長さで、スリット状に開口したポケット２を設けてある。【選択図】図１
0003213531.tif 000002
【実用新案登録請求の範囲】
【請求項１】
ペチコートのウエスト部の数センチ下において、左右それぞれに手が自由に出入りできる長さで、スリット状に開口したポケットを設けてあることを特徴とするポケット付ペチコート。
【考案の詳細な説明】
【技術分野】
【０００１】  本考案は、ペチコートにポケットを付けた衣類に関するものである。
【背景技術】
【０００２】  スカートにはポケットがないものもある。
また、スカートやズボンにポケットがあっても、生理用ナプキン等を入れるのは不都合がある。
【考案の概要】
【考案が解決しようとする課題】
【０００３】  それには次のような問題点があった。
例えば生理中でポケットがないスカートを履いていた場合、生理用ナプキンがある場所に取りに行く不便さがあった。
スカートやズボンのポケットに生理用品を入れておいた場合、他の物を取り出す時に一緒に飛び出してしまう事がある。
ポシェットやウエストポーチを身に着けても、トータルファッションに問題が生じる場合がある。
本考案は以上の問題点を解決するためのものである。
【課題を解決するための手段】
【０００４】  ペチコートのウエスト部の数センチ下において、左右それぞれに手が自由に出入りできる長さで、スリット状に開口したポケットを設けてある。
以上を特徴とするポケット付ペチコート。
【考案の効果】
【０００５】・スーツや制服、ポケットがないスカートの場合等、ペチコートのポケットの中に生理用ナプキンを入れておけば、トイレの前に生理用ナプキンを取りにいかなくてもよい。
・海外に行ったとき、ペチコートのポケットに貴重品を分けて入れておくと安全である。
・ペチコートにポケットがついているので、どのようなスカートでもファッションを損なわずに利用しやすい。
【図面の簡単な説明】
【０００６】
【図１】本考案の正面図
【図２】本考案を裏返しにした状態を示す正面図
【図３】本考案（ズボン型）の正面図
【図４】本考案（ズボン型）を裏返しにした状態を示す正面図
【考案を実施するための形態】
【０００７】  以下、本考案の実施の形態について説明する。
ペチコート（１）のウエスト部（３）の数センチ下において、左右それぞれに手が自由に出入りできる長さで、スリット状に開口したポケット（２）を設けてある。
以上を特徴とするポケット付ペチコート。
・生理中の場合、スポーツジムや学校や会社のロッカーに生理用品の入ったポーチを取りに行かなくてはならない不便さがあったが、本発明を使用することにより解消される。
・スカートやズボンのポケットに生理用品を入れておいた場合、他の物を取り出す時等に一緒に飛び出してしまう問題点があったが、本発明を使用することにより解消される。
・ポケットにカイロを入れておいた場合、体の中でもリンパや筋肉の量が多い太ももが温まる事により、リパーゼの活性が高まり脂肪の燃焼が早まるというダイエット効果が期待できる。
・ポケットに冷却グッズを入れておくと暑さがしのげる。
・海外に行く時、本発明のポケットに貴重品を入れておくと安全である。
・季節を問わず、アウターファッションに影響が少なく使用出来る。
【符号の説明】
【０００８】  １  ペチコート
２  ポケット
３  ウエスト部
【図１】
0003213531.tif 000003
【図２】
0003213531.tif 000004
【図３】
0003213531.tif 000005
【図４】
0003213531.tif 000006
(57)【要約】      （修正有）【課題】使い始めも収納にも便利な組立式屑カゴを提供する。【解決手段】３本の支柱３の上下にリング１、２が組み立てられて、支柱３に設けてある鎖の先端に、ゴミ袋を上部リング１に狭みつけるクリップ４が設けてあり、上部リング１に渡し架ける仕切枠５によって、ゴミ投入時に分別ができ、上下リング１、２と支柱３は付け外し自由であることを特徴とする。【選択図】図１
0003213539.tif 000002
【実用新案登録請求の範囲】
【請求項１】
ステンレス製の枠体で  中にゴミ袋を入れて使い、上部リングと底リングと、上部リングと底リングを  上下に結合する３本の支柱で成り、上部リングの中心を通ってリングを二分する形で  １本の仕切枠が  渡し架けてあり、各支柱の上部寄りの位置に  鎖が取り付けられ、鎖の先端には  ゴミ袋を上部リングに狭みつけるクリップが  設けてあり、上部リング・底リング・支柱は相互に  着脱自由であることを特徴とする組立式屑カゴ。
【考案の詳細な説明】
【技術分野】
【０００１】本考案は、組立式で  中にゴミ袋を入れて使う  屋外用の屑カゴである。
【背景技術】
【０００２】従来、屋外用の屑カゴは  側面が金網状のものやプラスチック製で、いづれも  成型されている。
【実用新案の概要】
【本考案が解決しようとする課題】
【０００３】屋外用の屑カゴは、大型で形が固定されているものなので、収納・持ち運びに  かさばる。乗用車等に  乗せるのにも不便。
【課題を解決するための手段】
【０００４】ステンレス製の枠体で、中にゴミ袋を入れて使う。上部リングと底リングと、上部リングと底リングを上下に結合する３本の支柱で成り、上部リングの中心を通って  リングを  二分する形で  １本の仕切枠が渡し架けてあり、各支柱の上部寄りの位置に  鎖が取り付けられ、鎖の先端には、ゴミ袋を上部リングに狭みつけるクリップが  設けてある。上部リング・底リング・支柱は  相互に着脱自由である。
以上を特徴とする  組立式屑カゴである。
【実用新案の効果】
【０００５】キャンプやイベント・ガーデニング等で  簡単に使用、片付けができる。
ステンレスを用いれば  屋外で使っても  サビにくい。
屑投入口が  仕切枠で  二つに分かれて、別々のゴミ袋を  装着できるので、ゴミ分別も  安心できる。
又、組立分解が  簡単にできるので  収納時も使い始めも  面倒さがない。
【図面の簡単な説明】
【０００６】
【図１】  本考案の斜視図
【考案を実施するための形態】
【０００７】以下、考案の実施の形態について説明する。
ステンレス製の枠体で、中にゴミ袋を入れて使う。上部リングと底リングと上部リングと底リングを上下に結合する３本の支柱で成り、上部リングの中心を通ってリングを二分する形で１本の仕切枠が渡し架けてあり、各支柱の上部寄りの位置に鎖が取り付けられ、鎖の先端には、ゴミ袋を上部リングに狭みつけるクリップが  設けてある。
上部リング、底リング、支柱は  相互に着脱自由である。
本考案は、以上の様な構成であり  以下その具体的な使用方法を説明する。
イ  上部リング１の  外側３ケ所に部品を付ける。
ロ  底リング２の  内側３ケ所に部品を付ける。
ハ  支柱３の  上から３ｃｍの所に  フックで固定される様に  ビスを付け、その下４ｃ    ｍの所にクリップ４の鎖の先端を  ２ケ取り付ける。下から１ｃｍ上になる様に  ス    トッパーを付ける。
ニ  仕切枠５の両端に  クリップ４（鎖なし）を付ける。
ホ  組立る時は、底リング２の  内側の部品に  支柱３をストッパーが  外側に出る様に    さし込む。
ヘ  上部リング１の部品に  支柱３をはめ込むと  ビスにフックがかかり固定される。
ト  分別する時は  仕切枠のクリップを上部リングにはめ込む。ゴミ袋を入れて  上部リ    ングのフチに掛けたら  クリップで止める。
キャンプやイベント・ガーデニング等で  簡単に使用・片付けができる。
ステンレスを用いれば  屋外で使っても  サビにくい。
屑投入口が  仕切枠で二つに分かれて、別々のゴミ袋を装着できるので、ゴミ分別も    安心できる。又、組立分解が簡単にできるので  収納時も使い始めも面倒さがない。
【符号の説明】
【０００８】  １  上部リング
２  底リング
３  支柱
４  クリップ
５  仕切枠
【図１】
0003213539.tif 000003
(57)【要約】【課題】  自動車の各ランプを点灯若しくは点滅させた時に、従来のワンパターン表示ではなく、絵模様や文字などのデザイン付で表示させる、絵模様や文字が写し出される自動車のランプカバーを提供する。【解決手段】本考案は、自動車のブレーキランプやウインカー、バックランプ、フォグランプなどの各ランプカバーに、表示させたい絵模様（例えば花模様やキャラクターなど）や文字（例えばブレーキランプカバーにＳＴＯＰ）などのデザインをランプカバーの内側部分に厚みをつけてデザインすることを特徴とする。【選択図】図１
0003213542.tif 000002
【実用新案登録請求の範囲】
【請求項１】
自動車のブレーキランプやウインカー、バックランプ、フォグランプなどの各ランプカバー本体（３）に、表示させたい絵模様（１）や文字（２）などのデザインを、ランプカバー本体内側（６））部分に厚みをつけてデザインすることにより、ブレーキランプやウインカー、バックランプ、フォグランプなどを点灯若しくは点滅させることにより、絵模様（１）や文字（２）などのデザインが写し出されることを特徴とする絵模様（１）や文字（２）が写し出される自動車のランプカバー。
【考案の詳細な説明】
【技術分野】
【０００１】
本考案は、自動車のランプ類を点灯若しくは点滅させた時に、後続車などの周囲の人により目立ち易くする絵模様や文字が写し出される自動車のランプカバーに関するものである。
【背景技術】
【０００２】
従来の自動車のランプ類は、機能別に点灯若しくは点滅させるワンパターン表示なもので、ドレスアップとしてクリアーなランプカバーに取替えたりしていた。
【先行技術文献】
【特許文献】
【０００３】
【特許文献１】特開2013-48117号広報
【考案の概要】
【考案が解決しようとする課題】
【０００４】
解決しようとする問題点は、自動車のブレーキランプやウインカー、バックランプ、フォグランプなどの各ランプ類は、機能別に点灯若しくは点滅させるワンパターン動作なので、もっと車種や所有者の好みによってランプカバーを取り替えて色々な表示をさせたいという不満点である。
【課題を解決するための手段】
【０００５】
本考案は、自動車のブレーキランプやウインカー、バックランプ、フォグランプなどの各ランプカバーに、表示させたい絵模様（例えば花模様やキャラクターなど）や文字（例えばブレーキランプカバーにＳＴＯＰ）などのデザインをランプカバーの内側部分に厚みをつけてデザインすることを特徴とする。
【考案の効果】
【０００６】
本考案は、ブレーキランプやウインカー、バックランプ、フォグランプなどを点灯若しくは点滅させることにより、絵模様や文字などのデザインが写し出されることにより、意思表示をより分かり易くすることができる。
【図面の簡単な説明】
【０００７】
【図１】正面図
【図２】Ａ―Ａ線断面図
【図３】使用状態の説明図
【考案を実施するための形態】
【０００８】
以下、本考案を実施するための形態について説明する。
自動車のブレーキランプやウインカー、バックランプ、フォグランプなどの各ランプカバーに、表示させたい絵模様（例えば花模様やキャラクターなど）や文字（例えばブレーキランプカバーにＳＴＯＰ）などのデザインをランプカバーの内側部分に厚みをつけてデザインする。
本考案は、以上のような構造である。
これを使用するときは、自動車の各ランプを点灯若しくは点滅させると絵模様や文字などのデザインが写し出される
【産業上の利用可能性】
【０００９】
自動車の純正ランプカバーやドレスアップ用ランプカバーなどを製造する産業で利用される。
【符号の説明】
【００１０】
１    絵模様
２    文字
３    ランプカバー本体
４    内側文字デザイン
５    内側絵模様デザイン
６    ランプカバー本体内側
７    ランプカバー仕切り部
８    車両
【図１】
0003213542.tif 000003
【図２】
0003213542.tif 000004
【図３】
0003213542.tif 000005
(57)【要約】      （修正有）【課題】メガネを簡単に取り出せたり、数種類のメガネ保持者には陳列することにより一目で所望のメガネを見分けることの出来るスタンド型メガネケースを提供する。【解決手段】ケース本体１とケース本体１に開閉可能に取り付けられたカバー２とからなるメガネケースにおいて、カバー２の全開状態にカバー２をケース本体１に固定する固定部材を、ケース本体１及びカバー２の少なくても一方に設けた。【選択図】図１
0003213570.tif 000002
【実用新案登録請求の範囲】
【請求項１】
本体と本体に開閉可能に取り付けられたカバーとからなるメガネケースにおいて、カバーの全開状態にカバーを本体に固定する固定部材が、本体及びカバーの少なくても一方に設けられたことを特徴とするメガネケース。
【考案の詳細な説明】
【技術分野】
【０００１】
本考案は、メガネケースとして使用すると共に、机上等にケースカバーを開けたままメガネケースを横にも縦にもスタンドの様に置く事を可能にすることより、メガネを簡単に取り出せたり、数種類のメガネ保持者には陳列することにより一目で所望のメガネを見分けることの出来るスタンド型メガネケースを提供する。
【背景技術】
【０００２】
今までのメガネケースは、ケースとして使用するだけで、メガネスタンドのような使い方も出来るようなものは無かった。
【先行技術文献】
【特許文献】
【０００３】
【特許文献１】実用新案登録第3167042号
【考案の概要】
【考案が解決しようとする課題】
【０００４】
近視用メガネから老眼鏡メガネに掛け替えする時、メガネを机上等に置いていたが、メガネに優しい置き方はないものかと考え、メガネケースのケースが開いたままで、あれば、ケースにメガネを入れやすいとも考え、その状態を保てば横置きスタンドになるのではとも考え、それを縦に出来ないかとも考えた結果、この問題を解く方策が見つかった。一般のメガネケースは、ケースからメガネを取り出したり、ケースにメガネを入れたりする際のケースの開閉が面倒であった。
【課題を解決するための手段】
【０００５】
上記課題を解決するために、本考案のメガネケースは、本体と本体に開閉可能に取り付けられたカバーとからなるメガネケースにおいて、カバーの全開状態にカバーを本体に固定する固定部材が、本体及びカバーの少なくても一方に設けられたことを特徴とする。
【考案の効果】
【０００６】
スタンド型メガネケースには、次のような効果がある。
（１）  メガネケースのカバーを開けたまま保持できるのでメガネの出し入れが簡単である。
（２）  上記の状態で数種類のメガネを陳列すればどんな種類のメガネをいれたか一目でわかる。
【図面の簡単な説明】
【０００７】
【図１】この考案のスタンド型メガネケースの斜視図
【図２】この考案のスタンド型メガネケースのケース本体とカバーを接合した側面図
【図３】この考案のスタンド型メガネケースを図２の状態で机上に置いた時の側面図
【図４】この考案のスタンド型メガネケースを図２の状態を縦型に置いた時の正面図
【考案を実施するための形態】
【０００８】
本考案のメガネケースによれば、図１においてメガネケース本体１には、磁石１ａが取り付けられており、カバー２には磁石１ａと磁力で接合する金属２ａが取り付けられている。接合部は、磁石によらなくても凹凸部材や面ファスナー等での接合など、簡単に接合、乖離出来る構造のものであれば何でも良い。上記構造によれば、図２の如くカバー２を開けた状態でカバー２がケース本体１に接合されるので、ケース本体にメガネを入れたまま図３に示すように横置きにも、図４に示すように縦置きにも出来る。
【符号の説明】
【０００９】
１ケース本体
１ａ磁石
２カバー
２ａ金属
【図１】
0003213570.tif 000003
【図２】
0003213570.tif 000004
【図３】
0003213570.tif 000005
【図４】
0003213570.tif 000006
(57)【要約】      （修正有）【課題】家屋小窓ガラス、自動車窓ガラス等に貼り付けて日光遮断とプライバシー効果が得られる日光差し込み防止吸盤付小型ブラインド板紙を提供する。【解決手段】板紙表面に、複数のスリット状ブラインド加工透かし孔切り込み直線とその上部にブラインド加工庇折曲げ点線を備え、ブラインド加工庇折り曲げ点線を上に折り曲げて、ブラインド加工透かしスリット状孔４を形成し、さらに、板紙に窓ガラス貼り付け用、両面吸盤５を備えたことを特徴とする。【選択図】図２
0003213568.tif 000002
【実用新案登録請求の範囲】
【請求項１】
板紙(１)表面に、複数のスリット状ブラインド加工透かし孔切り込み直線(２)とその上部にブラインド加工庇折曲げ点線(３)を備え、ブラインド加工庇折り曲げ点線を上に折り曲げる方法で、ブラインド加工透かしスリット状孔(４)を形成しさらに、板紙に窓ガラス貼り付け用、両面吸盤(５)を備えたことを特徴とする、日光差し込み防止吸盤付きブラインド板紙。
【考案の詳細な説明】
【技術分野】
【０００１】
家屋窓に日光差し込み防止と室内透視防止目的にブラインドが設置されている。ブラインドは窓の日光差し込み防止と室内透視防止が容易にできる製品である。しかし家屋小窓、自動車窓等に付設できるブラインドは現在開発されていない。家屋小窓ガラス、自動車窓ガラス等の内側に脱着が容易にできる吸盤付きブラインド板紙を新たに提供する。
【背景技術】
【０００２】
ブラインドは室内日光差し込み防止と室内透視防止に優れた効果を発揮する。現在では全世界の建造物窓に装備されている。しかし家屋の小窓、自動車窓等にブラインドが装備されていないのが実状である。ブラインド独特の技術を生かして、家屋小窓ガラス、自動車窓ガラス等の内側に脱着できる小型ブラインドの開発が望まれていたものである。
【先行技術文献】
【特許文献】
【０００３】
【特許文献１】特願平１１−３５８６３１
【特許文献２】実用新案 平０６−０００１１５
【特許文献３】実用新案 平５−２０７４６
【特許文献４】実用新案 昭６２−１９４２１
【考案の概要】
【考案が解決しようとする課題】
【０００４】
現在自動車に付設されているサンバイザー、直射カットフイルム、ガラス窓膜貼付け方法等は、家屋窓に装着されたブラインドの日光差し込み防止効果と比較すれば視野は狭くなり、視界は不透明で、交通安全上好ましくないことが課題となっている。家屋窓装着ブラインドの日光差し込み防止効果と室内透視防止効果の技術を応用して、新しく家屋小窓ガラス、自動車窓ガラス等に脱着が容易にできる、吸盤付きブラインド板紙を考案したものである。
【課題を解決するための手段】
【０００５】
板紙(１)表面に、複数のスリット状ブラインド加工透かし孔切り込み直線(２)とその上部にブラインド加工庇折曲げ点線(３)を備え、ブラインド加工庇折り曲げ点線を上に折り曲げる方法で、ブラインド加工透かしスリット状孔(４)を形成しさらに、板紙に窓ガラス貼り付け用、両面吸盤(５)を備えたことを特徴とする、日光差し込み防止吸盤付ブラインド板紙である。
【考案の効果】
【０００６】
新しい吸盤付きブラインド板紙の使用効果は、視界が透明で見える為、運転者の安全運転に大きく寄与するものである。更に夏季には車内冷房省エネ効果が発揮できる。各自動車メーカ窓ガラス規格に適合して、陸運局指定可視光線の透過率７０％以上ある、吸盤付きブラインド板紙を加工して車内日光差し込み防止が出来れば、全世界自動車業界に市場は多々あることが予想される。現在使用されている車体窓を覆うアルミシート日除けは走行中使用できない他、脱着収納にその都度人手を必要とする。吸盤付きブランド板紙は窓ガラスに貼り付けたまま使用できる為、常時車内高温防止とプライバシー効果が持続できる。
【図面の簡単な説明】
【０００７】
【図１】ブラインド加工板紙の平面図
【図２】吸盤付ブラインド板紙全体斜視図
【図３】ガラス内側貼り付けブラインド板紙の日除け説明図
【考案を実施するための形態】
【０００８】
板紙(１)表面に、複数のスリット状ブラインド加工透かし孔切り込み直線(２)とその上部にブラインド加工庇折曲げ点線(３)を備え、ブラインド加工庇折り曲げ点線を上に折り曲げる方法で、ブラインド加工透かしスリット状孔(４)を形成しさらに、板紙に窓ガラス貼り付け用、両面吸盤(５)を備えたことを特徴とする、日光差し込み防止吸盤付ブラインド板紙である。
【実施例】
【０００９】
板紙で加工したブラインド試作品に両面接着テープで吸盤を接着固定して軽自動車フロントガラス内側に貼り付けて運転実施を行なった結果 軽自動車既設サンバイザー使用よりも、吸盤付きブラインド板紙使用の方が遥かに日光差し込み防止効果は優れ、前方視界も透明で見えることが確認できた。更に後部座席左右窓ガラスに吸盤付きブラインド板紙を装着して運転行った結果ブラインド板紙のスリット間隙から、後部車体両サイドの状態が透明で観察できたものである。平成２９年８月５日から１週間、雨天にもドライブテストを実施した結果ガラス内側に吸盤で貼り付けたブラインド板紙には何の問題も欠陥もないことが実施例で確認できたものである。
【産業上の利用可能性】
【００１０】
自動車既設サンバイザー使用以上に吸盤付きブラインド板紙使用効果は優れている。自動車既設サンバイザーは不透明の為、交差点信号灯、標識等が見えにくい欠陥があるのに対して、ブラインド板紙は視界が透明ではっきり見えて交通安全にも大きく寄与できるものである。特に女性ドライバーにはプライバシーが保たれるため人気商品となり、常夏の国でも吸盤付きブラインド板紙使用は冷房効果に寄与することから利用者は増大することが予想される。自車メーカでは車窓に適合した規格の、吸盤付きブラインド板紙を作成して来客にノベルティ商品として贈呈されることも予想される。新しい商品であることに海外輸出にも大いに期待できるものである。
【符号の説明】
【００１１】
１  板紙
２  ブラインド加工透かし孔切り込み線
３  ブラインド加工庇折り曲げ点線
４  ブラインド加工透かしスリット状孔
５  両面吸盤
６  太陽光線
７  窓ガラス
【図１】
0003213568.tif 000003
【図２】
0003213568.tif 000004
【図３】
0003213568.tif 000005
(57)【要約】      （修正有）【課題】気軽に携帯し、簡単に使用できる携帯水難救命具を提供する。【解決手段】筒状になったビニル袋１で一端２は閉じられ、もう一端３はあいた状態で、その一端３から空気を入れ、その端３と端２を結んで閉じ、水難救命具として使用出来る機能を持った。【選択図】図２
0003213529.tif 000002
【実用新案登録請求の範囲】
【請求項１】
筒状になったビニル袋で一端は閉じられもう一端はあいた状態で、あいた一端から空気を入れ、その端を結んで閉じ水難救命具として使用出来る機能を持った携帯水難救命具。
【考案の詳細な説明】
【考案の詳細な説明】
【産業上の利用分野】
【０００１】  水難事故の際に救命具がなく事故者または救助者が犠牲になる事が多く、気軽に携帯し、簡単に使用できる携帯水難救命具を提供する。
【背景技術】
【０００２】  水難救命具としては浮き輪状、板状になったものがあるが、携帯するには大きく持ち運びにも不便であり、いざという時には身近にない事も多かった。
【考案が解決しようとする課題】
【０００３】  これには次のような欠点があった。
（イ）水難救命具としての浮き輪、板は携帯するには大きく持ち運びにも不便であった。
【課題を解決する為の手段】
【０００４】  筒状になったビニル袋で一端は閉じられもう一端はあいた状態で、あいた一端から空気を入れ、その端を結び、又は輪にして端と端を結び水難救命具として用いる機能を持った器具で、使用前はクルクルと巻いて収納することで手のひらに入るほど小さな大きさになるので、海・川に行く時にはこの携帯救命具をズボンのポケットに入れたりキーホルダーにして水遊びをするときは老若男女だれもが持参していつでも使用できるようにする。
【考案実施の形態】
【０００５】以下、本考案の実施例について説明する。
（イ）ビニル袋（１）の一端は閉じられて（２）、反対の一端はあいた状態（３）のビニル袋。この状態で開封口（３）から空気を入れ、その一端（３）を結び棒状の救命具として使用する［図１］
（ロ）ビニル袋のあいた一端（３）から空気を入れて（２）と（３）を結び輪っか状にして浮き輪状の救命具として使用する［図２］
（ハ）本考案品をクルクルと丸めて収納した状態［図３］
【発明の効果】
【０００６】これには次のような効果がある。
（イ）ビニル袋（１）の一端は閉じられて（２）、反対の一端はあいた状態（３）のビニル袋。この状態で袋に空気を入れ、あいていた端（３）を結び棒状の水難救命具として使用する。
（ロ）空気を入れたあと（２）と（３）を結び、浮き輪状にして水難救命具として使用する。
（ハ）クルクルと巻いて小さく収納出来るので水遊びをする際はポケットなどに入れて携帯し、万が一の水難事故の際にはすぐに取り出して救助に使用する事が出来る。
本考案は、これらの効果をもたらすものである。
【図面の簡単な説明】
0003213529.tif 000003
本考案の斜視図。
【図３】本考案の収納した図。
【符号の説明】１  筒状のビニル袋
２  袋が閉じられた一端
３  袋が空いている一端
【図１】
0003213529.tif 000004
【図２】
0003213529.tif 000005
【図３】
0003213529.tif 000006